(57)【要約】      （修正有）【課題】携帯電話機が握りやすい携帯電話機用ケースを提供する。【解決手段】携帯電話機２の背面に当接する当接板部４を有し、前記当接板部に隣接する袋体７を有する携帯電話機用ケース１である。前記袋体は、外側に柔軟性を有する樹脂素材からなり、内部に流動性を有する液状体６が充填される。携帯電話機の使用時には、前記袋体の下部に形成される膨出部９を握ることにより、使用者の手の形状に合わせて袋体が変形するため、使用者は手の全体で携帯電話機を安定して保持することができる。【選択図】図３
0003173172.tif 000002
【実用新案登録請求の範囲】
【請求項１】
携帯電話機を保護するために装着する携帯電話機用ケースであって、
携帯電話機への装着時に、携帯電話機の背面と当接する当接板部と、
当接板部の背面に形成された袋体とを備え、
前記袋体は、少なくとも外側部分が柔軟性を有する樹脂素材によって構成されると共に、袋体内部には液状体を充填されてなることにより、袋体を握った手の表面形状に合わせて変形可能であること
を特徴とする携帯電話機用ケース。
【請求項２】
前記液状充填部を形成する液状体が、比重の異なる２種類の互いに混ざり合わない液体からなることを特徴とする請求項１に記載の携帯電話機用ケース。
【請求項３】
前記液状体がゲル状の保冷剤であること
を特徴とする請求項１に記載の携帯電話機用ケース。
【考案の詳細な説明】
【技術分野】
【０００１】
本考案は、携帯電話機の保護又は装飾に使用される携帯電話機用ケースに関する。
【背景技術】
【０００２】
従来、硬質プラスチック製品や皮製品により携帯電話機を保護又は装飾、若しくは携行するために装着するケースが利用されている。
【先行技術文献】
【特許文献】
【０００３】
【特許文献１】実用新案登録第３１７０２１６号
【考案の概要】
【考案が解決しようとする課題】
【０００４】
しかし、タッチパネル搭載型の携帯電話機をはじめとして、近年の画面の大型化に伴い、携帯電話機本体も使用時には手から大きくはみ出るほど大型化しているため長時間の使用を行っていると携帯電話機の実際の重量以上に重たく感じるという問題があった。
【０００５】
また、従来のケースを装着した携帯電話では、使用時に手と携帯電話機の間に隙間が生じると共に、携帯電話機の側縁部が手の一部にのみ荷重をかけるため、握りにくく、長時間の使用を続けていると手が疲れやすいという問題があった。
【０００６】
本考案は、前記した従来技術の問題点に鑑みて、使用者の手の疲れやすさを軽減し、及び装飾としての美観にも考慮した携帯電話機用ケースを提供することを目的とする。
【課題を解決するための手段】
【０００７】
前記目的を達成するために、本考案に係る携帯電話機用ケースは、携帯電話機の背面と当接する当接板部と、当接板部の背面に形成された袋体とを備え、前記袋体は、少なくとも外側部分が柔軟性を有する樹脂素材によって構成されると共に、袋体内部には液状体が充填されてなることにより、袋体を握った手の表面の形状に合わせて変形可能であることを特徴とする。
【０００８】
袋体に充填された液状体は、常温において流動性を有する流体であり、水、食用油、アルコール等の液体、又は水、若しくはアルコール、特にエチレングリコール、若しくはプロピレングリコールを含んだゲル体であることが好ましい。
【０００９】
袋体は、柔軟性を有する樹脂素材からなり、例えば樹脂素材にポリエチレン、ナイロン、又はポリ塩化ビニルを用いることができる。特に使用者が携帯電話機用ケース装着した携帯電話機を握る際に手が直接触れる部分、すなわち袋体の外側部分は、少なくとも前記柔軟性を有する樹脂素材によって構成される。
【００１０】
本願考案に係る携帯電話機用ケースを装着した状態の携帯電話機を、使用者が携帯電話機に付属した画面に表示された情報を閲覧等する時（以下、使用時という。）には、前記画面は使用者と対向する状態に保持されるため、袋体内部に充填された液状体が下方向に移動し、それと共に前記袋体の下部は後方に膨出した状態に変形する。
ここで、前後は携帯電話機の画面がある側を前とし、後ろを背面または後方とする。上下方向は、使用者が携帯電話機の画面を顔に対向させて携帯電話機を保持した時の上下方向に従う。
【００１１】
変形した袋体は、上部は厚みが薄くなった軽薄部、下部が膨らんで厚くなった膨出部を形成する。また、膨出部には軽薄部よりも多くの液状体が貯留されているため、携帯電話機用ケースの下部に重心が偏在することとなる。
【００１２】
一方、袋体の膨出部は厚みが厚く、また柔らかい樹脂素材及び流動性のある液状体からなるため、膨出部を握ると袋体が手の表面の形状に合わせて変形する。このため、硬質樹脂等からなる硬いケースを装着した携帯電話機を握った時よりも携帯電話機用ケースと使用者の手との接触面が増えるように作用する。
【００１３】
また、本考案に係る携帯電話機用ケースは、前記液状体が、比重の異なる２種類の互いに混ざり合わない液状体からなることとしても好ましい。２種類の液状体は、例えば一方が水で、他方が食用油であることが好ましい。
【００１４】
袋体の内部に比重の異なる２種類の互いに混ざり合わない液状体が充填されていることによって、携帯電話機の使用時には自動的に比重の重い一方の液状体が下方に溜まるため、例えば袋体に充填する液状体に比重の重い一方の液状体のみ用いる場合と比較して、携帯電話機用ケースの重心を下方に偏在させることができる。
【００１５】
またこの時、少なくとも一方の液状体を着色し、かつ袋体を透明な素材により形成すれば、液状体の２種類の色の違いにより美観が向上し、装飾性を向上させることができる。
【００１６】
さらに、本考案に係る携帯電話機用ケースは、前記液状体がゲル状の保冷剤であることとしても好ましい。保冷剤は、エチレングリコール、若しくはプロピレングリコールを含んだゲル体を用いても良い。
【００１７】
液状体に保冷剤を用いれば、予め冷却しておいた携帯電話機用ケースの袋体の保冷作用により、携帯電話機のバッテリー等からの発熱を直接手に感じることなく快適に携帯電話機を使用することができる。
【００１８】
さらに、本考案に係る携帯電話機用ケースは、袋体と当接板部とが一体に固定されてなるものであっても良いが、袋体と当接板部とが着脱可能に構成されていても好ましい。
【考案の効果】
【００１９】
本願考案に係る携帯電話機用ケースによれば、携帯電話機の使用時には携帯電話機用ケースの重心を下部に偏在させることができる。従って、袋体の膨出部を握って携帯電話を保持することによって、手から大きくはみ出るような携帯電話機であっても手の中央部分で重さを感じた状態で保持することができ、携帯電話機の使用を長時間続けていても手が疲れにくい。
【００２０】
また、袋体の膨出部を握って携帯電話を保持することにより、袋体が握った手の表面の形状に合わせて変形するため、袋体と手との接触面積が増える。これにより、携帯電話機の側縁部が手の一部に荷重をかけることがなくなり、携帯電話機が握りやすくなる。
【００２１】
また、前記液状体を、比重の異なる２種類の互いに混ざり合わない液状体からなることとすると、携帯電話機用ケースの重心を比重の重い方の液状体が存在する下部に偏在させることができるため、携帯電話機の長時間の使用に対して手を疲れにくくすることができる。
【００２２】
さらに、前記液状体にゲル状の保冷剤を用いることにより、重心を下部に偏在させることにより得られる上記効果と共に、袋体を握る手の冷却を行なうことができるため、長時間の使用によりバッテリー等が熱くなった携帯電話機を直接持ち続けるよりも快適に使用を続けることができる。
【図面の簡単な説明】
【００２３】
【図１】本考案の携帯電話機用ケース１の斜視図。
【図２】携帯電話機２に装着した携帯電話機用ケース１の縦断面図。
【図３】携帯電話機用ケース１を装着した携帯電話機２を使用者の手Ｈが把持する様子を示す側面図。
【図４】比重の異なる液状体６ａ、６ｂを充填した袋体７を備える携帯電話機用ケース１を使用者の手Ｈが把持する様子を示す側面図。
【考案を実施するための形態】
【００２４】
以下、図面を参照しながら本考案の実施形態について詳しく説明する。
【００２５】
図１は、本考案の携帯電話機用ケース１を背面方向からみた斜視図である。携帯電話機用ケース１は、正面方向から携帯電話機２を嵌め込むと携帯電話機２の側面部を係止して固定する側面係止部３と、係止された携帯電話機２の背面と当接する当接板部４、及び携帯電話機２の背面上部に設けられたカメラによる受光機能を確保するためのカメラ孔５を備え、さらに当接板部４の背面には液状体６が充填された袋体７が設けられている。
【００２６】
側面係止部３、及び当接板部４はプラスチック又は金属、若しくは革からなるものが好ましい。また、液状体６はエチレングリコールを含んだゲル体であり、袋体７はポリエチレンからなる樹脂シートから構成されるものである。
【００２７】
図２は、携帯電話機２に装着した携帯電話機用ケース１の使用時の状態を側面方向から見た縦断面図である。この時、袋体７内部に充填された液状体６が下方向に移動し、それと共に前記袋体７の下部は後方に膨出した状態に変形する。
【００２８】
変形した袋体７は、上部は厚みが薄くなった軽薄部８、下部が膨らんで厚くなった膨出部９を形成する。また、膨出部９には軽薄部８よりも多くの液状体が貯留されているため、携帯電話機用ケース１の下部に重心を偏在させることができる。
【００２９】
図３には、使用者の手Ｈが、使用時において携帯電話機２に装着した携帯電話機用ケース１を握った状態を示す側面図である。使用者は、手のひら、人差し指、中指、薬指、及び小指を膨出部９に当接させ、親指を携帯電話機２の正面に当接させることによって携帯電話機２を保持することができる。また、携帯電話機２の正面には情報が表示される画面（図示せず。）が設けられており、当該画面がタッチパネル方式である場合には、使用者は携帯電話機２を保持したまま親指をスライド等させることによって携帯電話機２を操作することができる。
【００３０】
そして使用者が携帯電話機２及び携帯電話機用ケース１を保持している際には、膨出部９は手のひら及び指の形状に沿って変形するため、使用者は手Ｈの全体で携帯電話機２を保持することができる。
【００３１】
また、前述のように重心は携帯電話機用ケース１の下部に偏在し、使用者は携帯電話機２及び携帯電話機用ケース１の重さを手Ｈの中央部分で支えることができるため、携帯電話機１が手Ｈから大きくはみ出るようなものであっても長時間の携帯電話機１の使用に対して手が疲れにくい。
【００３２】
なお、携帯電話機用ケース１を装着した携帯電話機２を机の上などに置いた場合には液状体６が流動し、袋体７の厚みは均等に変化するため、携帯電話機２の上面が上に向くように水平に保持することができる。
【００３３】
また、本考案に係る携帯電話機用ケース１は、図４に示すように前記液状体６を、比重の異なる２種類の互いに混ざり合わない液状体６ａ、６ｂとからなることとしても好ましい。液状体６ａは液状体６ｂよりも比重の重い液体で、たとえば水を用いることが好ましい。一方、液状体６ｂには水よりも比重の軽い液体で、例えば食用油を用いることが好ましい。
【００３４】
また、液状体６ａ、６ｂのうちの一方の色を変えると、美観に変化を付加することができ、装飾性を帯びたものとなる。さらにまた、液状体６ａに浮かび、液状体６ｂには沈むビーズ等の装飾体１０を入れると、装飾体１０が液状体６ａと６ｂとの間で浮遊することで動きのある装飾性を付加させることもできる。
【符号の説明】
【００３５】
１  携帯電話機用ケース
２  携帯電話機
６  液状体
７  袋体
８  軽薄部
９  膨出部
Ｈ  手
【図１】
0003173172.tif 000003
【図２】
0003173172.tif 000004
【図３】
0003173172.tif 000005
【図４】
0003173172.tif 000006